(57)【要約】【課題】ドア支持軸で支持されるメンテナンスドアをドア支持軸において追加部品を用いずに振動させないメンテナンスドア取り付け構造を提供する。【解決手段】この考案のメンテナンスドア取り付け構造は、メンテナンスドア１０を選択された固定位置“Ｊ”に固定ねじ３０で固定すれば、固定位置“Ｊ”にメンテナンスドアの一端を寄せるのに働いた作用力“Ｆ”は、中間支点位置“Ｇ”を梃子の支点にして、固定位置の対向側のドア支持軸２０の位置“Ｈ”には反作用の力を働かせる。この反作用力は、メンテナンスドアとドア支持軸との間のクリアランスの中でのメンテナンスドアの振動を無くするように働く。したがって、メンテナンスドアとドア支持軸との間のクリアランスを無くするように、クリアランスの中にゴム状の部品やばね状の部品を追加すること無く、メンテナンスドアをドア支持軸において振動させなくすることができる。【選択図】  図３
0003123877.tif 000002
【実用新案登録請求の範囲】
【請求項１】
メンテナンスドアがドア支持軸周りにドア平面方向に回転できるように、メンテナンスドアの一隅をドア支持軸によって電子機器のフレームに取り付け、メンテナンスドアをドア支持軸周りに回転させて電子機器のメンテナンス開口を閉塞あるいは開放でき、メンテナンスを行なわないときには、メンテナンスドアによってメンテナンス開口を閉塞し、ドア支持軸によって取り付けられているメンテナンスドアの一隅の対向側にある部位を固定用部材でフレームに固定するメンテナンスドア取り付け構造において、
メンテナンスドアを固定用部材でフレームに固定する固定位置は、固定用部材で固定する固定位置とドア支持軸で取り付けられている取り付け位置との間の中間位置にあるメンテナンスドアのドア平面がフレームから押圧力を受け、その押圧力の反作用としての力がメンテナンスドアとドア支持軸との間のクリアランスの中でのメンテナンスドアの振動を無くするように位置決めされていることを特徴とするメンテナンスドア取り付け構造。
【考案の詳細な説明】
【技術分野】
【０００１】
本考案は、メンテナンスドア取り付け構造に関し、特に、メンテナンスドアがドア支持軸周りにドア平面方向に回転できるように、メンテナンスドアの一隅をドア支持軸によって電子機器のフレームに取り付け、メンテナンスドアをドア支持軸周りに回転させて電子機器のメンテナンス開口を閉塞あるいは開放でき、メンテナンスを行なわないときには、メンテナンスドアによってメンテナンス開口を閉塞し、ドア支持軸によって取り付けられているメンテナンスドアの一隅の対向側にある部位を固定用部材でフレームに固定するメンテナンスドア取り付け構造に関する。
【背景技術】
【０００２】
図４は、メンテナンスドアが取り付けられた電子機器２００を示す斜視図、図５は、図４のように取り付けられたメンテナンスドアが開けられたところを示す斜視図である。この場合、メンテナンスドア１０の一隅は、ドア支持軸２０によってフレーム４０に回転可能に取り付けられている。図４においては、メンテナンスドア１０のドア支持軸２０のある部位の対向側が固定ねじ３０によってフレーム４０に固定されている。したがって、図４において、メンテナンス用の開口は、メンテナンスドア１０によって塞がれている。
【０００３】
上述の場合に、固定ねじ３０を外すと、図５に示されるように、メンテナンスドア１０は、矢印ＲＲで示されるように、ドア支持軸２０周りに回転可能となる。この場合、メンテナンスドア１０は、ドア平面の方向に（フレーム面に平行に）回転可能である。したがって、図５の場合には、メンテナンス用の開口は、開放状態であり、電子機器２００の内部のメンテナンスなどの各種の処理がメンテナンス用の開口を通して実行できる。各種の処理の実行が完了した場合には、メンテナンスドア１０は、図４の状態に戻され、固定ねじ３０でフレームに固定される。
【０００４】
上述のように、固定ねじ３０でメンテナンスドア１０をフレームに固定した状態を正面から見たのが図６であり、図６のＡ−Ａラインからメンテナンスドアを見たのが図７であり、図７の“Ｐ”で示される部分を拡大表示したのが図８である。図６ないし図８（特には、図８）からわかるように、メンテナンスドア１０に取り付けられたドア支持軸２０は、Ｅリング２１によってフレーム４０に取り付けられる。
【考案の開示】
【考案が解決しようとする課題】
【０００５】
上述した従来のメンテナンスドア取り付け構造においては、メンテナンスドアをドア支持軸とＥリングとで電子機器のフレームに取り付けている。したがって、Ｅリング２１の取り付け方法から、Ｅリング２１とフレーム４０との間にはクリアランス（遊び）ＰＬＹが発生する。このクリアランスＰＬＹは、電子機器が稼働中に振動（共振）を発生させる原因になるので、クリアランスＰＬＹを無くすために、ゴム状の部品やばね状の部品を追加している。追加部品があると、コストアップになり、Ｅリング２１の取り付けも難しくなる。
【０００６】
本考案は、上述した問題点を解決するためになされたものであり、追加部品を用いないで、メンテナンスドアをドア支持軸において振動させないメンテナンスドア取り付け構造を提供することを目的とする。
【課題を解決するための手段】
【０００７】
上述した課題を解決するため、本考案に係るメンテナンスドア取り付け構造は、メンテナンスドアがドア支持軸周りにドア平面方向に回転できるように、メンテナンスドアの一隅をドア支持軸によって電子機器のフレームに取り付け、メンテナンスドアをドア支持軸周りに回転させて電子機器のメンテナンス開口を閉塞あるいは開放でき、メンテナンスを行なわないときには、メンテナンスドアによってメンテナンス開口を閉塞し、ドア支持軸によって取り付けられているメンテナンスドアの一隅の対向側にある部位を固定用部材でフレームに固定するメンテナンスドア取り付け構造において、メンテナンスドアを固定用部材でフレームに固定する固定位置は、固定用部材で固定する固定位置とドア支持軸で取り付けられている取り付け位置との間の中間位置にあるメンテナンスドアのドア平面がフレームから押圧力を受け、その押圧力の反作用としての力がメンテナンスドアとドア支持軸との間のクリアランスの中でのメンテナンスドアの振動を無くするように位置決めされている。
【０００８】
この考案は上述のように構成されているので、メンテナンスドアを位置決めされた固定位置に固定すれば、固定位置にメンテナンスドアの一端を寄せるのに働いた作用力は、中間支点位置を梃子の支点にして、固定位置の対向側には反作用の力を働かせる。この反作用力は、メンテナンスドアとドア支持軸との間のクリアランスの中でメンテナンスドアが振動できないように働く。
【考案の効果】
【０００９】
以上に詳述したように本考案によれば、メンテナンスドアを選択された固定位置に固定すれば、固定位置にメンテナンスドアの一端を寄せるのに働いた作用力は、中間支点位置を梃子の支点にして、固定位置の対向側には反作用の力を働かせる。この反作用力は、メンテナンスドアとドア支持軸との間のクリアランスの中でメンテナンスドアが振動できないように働き、実質的にはクリアランスを無くしている。したがって、ゴム状の部品やばね状の部品を追加すること無く、メンテナンスドアをドア支持軸において振動させないという効果がある。
【考案を実施するための最良の形態】
【００１０】
以下、本考案の実施の形態について図面を参照しつつ説明する。図１は、この考案のメンテナンスドア取り付け構造が適用された電子機器の正面図、図２は、図１のラインＡ−Ａから矢印方向にメンテナンスドアを見た平面図、図３は、図２の“Ｑ”の部分を拡大して示した図である。図１ないし図３で示される電子機器１００は、図４ないし図８で示された電子機器２００と基本的には同じであるが、固定ねじ３０の取り付け位置が異なっている。
【００１１】
図１において、メンテナンスドア１０は、その一隅がドア支持軸２０によって回転可能にフレーム４０に固定されている。この場合、メンテナンスドア１０は、そのドア平面がフレーム平面にほぼ平行に回転できるように取り付けられている。メンテナンスドア１０をドア支持軸周りに回転させることにより、電子機器１００のメンテナンス開口を閉塞あるいは開放でき、メンテナンスを行なわないときには、メンテナンスドア１０によってメンテナンス開口を閉塞し、ドア支持軸２０によって取り付けられているメンテナンスドア１０の部位“Ｈ”（図３）の対向側にある部位“Ｊ”（図２）を固定ねじでフレーム４０に固定する。
【００１２】
ただし、図４ないし図８の場合とは異なって、固定ねじ３０の取り付け位置が矢印Ｄ（図２）で示される奥行き方向に可能な限り寄せられている。このように、メンテナンスドア１０は、電子機器１００の奥行き方向に寄せられて固定されるので、ドア支持軸２０の部位“Ｈ”と固定ねじ３０で固定される部位“Ｊ”との間のドア平面の部位“Ｇ”は、メンテナンス開口の周辺のフレーム４０に当接する。したがって、部位“Ｊ”への取り付けのために、メンテナンスドア１０の部位“Ｊ”を寄せた力は、部位“Ｇ”を梃子の支点として部位“Ｈ”に働く。
【００１３】
このように、メンテナンスドア１０の部位“Ｊ”を奥行き方向に寄せた力が部位“Ｈ”に加えられるので、メンテナンスドア１０の部位“Ｈ”は振動などを起すことが非常に困難になる。したがって、従来のような振動防止のためのゴム状の部品やばね状の部品を追加する必要がない。また、そのような追加部品を使用しないのでＥリングによる組み立ても容易である。
【図面の簡単な説明】
【００１４】
【図１】この考案のメンテナンスドア取り付け構造が適用された電子機器の正面図である。
【図２】図１のラインＡ−Ａから矢印方向にメンテナンスドアを見た平面図である。
【図３】図２の“Ｑ”の部分を拡大して示した図である。
【図４】メンテナンスドアがメンテナンス開口を閉塞するように取り付けられた状態の従来の電子機器を示す斜視図である。
【図５】図４のように取り付けられたメンテナンスドアが開けられたところを示す斜視図である。
【図６】図４の電子機器の状態を正面から見た図である。
【図７】図６のラインＡ−Ａからメンテナンスドアを見た図である。
【図８】図７の“Ｐ”で表される部分を拡大表示した図である。
【符号の説明】
【００１５】
１０  メンテナンスドア、２０  ドア支持軸、２１  Ｅリング、３０  固定ねじ、４０  フレーム、１００  電子機器。
【図１】
0003123877.tif 000003
【図２】
0003123877.tif 000004
【図３】
0003123877.tif 000005
【図４】
0003123877.tif 000006
【図５】
0003123877.tif 000007
【図６】
0003123877.tif 000008
【図７】
0003123877.tif 000009
【図８】
0003123877.tif 000010